(57)【特許請求の範囲】
【請求項１】
ベルトループを備えた衣服に取り付けられるラベルであって、
開口部が形成されたラベル本体を備え、
前記開口部は、前記ベルトループが挿入保持される第一部分であって、前記ベルトループの長さ方向に所定間隔あけて形成された少なくとも二つの第一部分と、前記ベルトループの幅よりも小径の第二部分であって、少なくとも二つの前記第一部分を接続すると共に前記第一部分と連通する第二部分と、を有しており、
前記ラベル本体には、前記第二部分の縁部を形成し、かつ、前記ラベルを前記衣服に取り付けるときに、前記ベルトループの裏側に挿入される突起部が形成されている、
ラベル。
【請求項２】
前記第一部分の縁部は、前記ベルトループの幅方向における端部を保持する、
請求項１に記載のラベル。
【請求項３】
前記第一部分は、前記ベルトループの長さ方向における端部近傍を保持するような位置に形成されている、
請求項１または２に記載のラベル。
【請求項４】
前記ラベル本体には、所定の情報が表示されており、
前記情報の少なくとも一部に、前記開口部が形成されている、
請求項１から３のいずれか１項記載のラベル。
【請求項５】
前記ラベル本体には、折り曲げ可能で、かつ、所定の情報が表示された折曲部が接続されており、
前記折曲部は、折り曲げられた状態において、前記衣服の端部に覆い被さるように位置している、
請求項１から４のいずれか１項に記載のラベル。
【発明の詳細な説明】
【技術分野】
【０００１】
本発明は、衣服に取り付けられるラベル（タグ）に関する。
【背景技術】
【０００２】
衣服には、例えばブランド名など、衣服に関する情報が印刷されたラベルが取り付けられている。ラベルは、ミシンなどによって衣服に縫い付けられたり（特許文献１）、あるいは、ロックスピンなどの取付具によって衣服に取り付けられる。
【先行技術文献】
【特許文献】
【０００３】
【特許文献１】特開２０１４−１６０１５９号公報
【発明の概要】
【発明が解決しようとする課題】
【０００４】
しかしながら、ラベルを衣服にミシンで縫い付ける場合には、例えば以下（１）および（２）のような問題がある。また、ラベルを縫い付ける場合およびラベルを取付具によって取り付ける場合の共通の問題として、例えば以下（３）および（４）のような問題がある。
（１）ミシンを使用できる作業者しかラベルの取り付け作業を行うことができないため、作業者が限定される。
（２）ラベルを衣服から取り外した際に、衣服にミシンの針穴が残る。
（３）ラベルを衣服から取り外す際に、糸や取付具を切断するためにハサミなどを使用する必要がある。
（４）ラベルを付け間違えた際に、ラベルの付け直しに手間が掛かる。
【０００５】
本発明は上記課題に鑑みてなされた発明であり、衣服に縫い付けたり取付具を使用したりすることなく、簡単に取り付けることができるラベルを提供することを目的とする。
【課題を解決するための手段】
【０００６】
本発明は、衣服に取り付けられるラベルに関する。当該ラベルは、衣服の一部を挿入保持する開口部が形成されたラベル本体を備えていることを特徴としている。
【０００７】
本発明のラベルは、開口部内に衣服の一部を挿入するだけで、衣服に取り付けることができる。このように、本発明のラベルは、ミシンや取付具を使用することなく、簡単に衣服に取り付けることができる。
【０００８】
本発明のラベルにおいて、衣服はベルトループを備えており、開口部にはベルトループが挿入され、開口部の縁部によってベルトループの幅方向における端部を保持することが好ましい。
【０００９】
上記特徴により、ラベルをベルトループの幅方向へ移動させようとすると、開口部の縁部とベルトループの幅方向における端部とが接触する。こうして、ラベルがベルトループの幅方向へ移動することを規制することができる。
【００１０】
本発明のラベルにおいて、衣服はベルトループを備えており、開口部は、ベルトループが挿入保持される第一部分であって、ベルトループの長さ方向に所定間隔あけて形成された少なくとも二つの第一部分と、ベルトループの幅よりも小径の第二部分であって、少なくとも二つの第一部分を接続すると共に第一部分と連通する第二部分と、を有しており、ラベル本体には、第二部分の縁部を形成し、かつ、ラベルを衣服に取り付けるときに、ベルトループの裏側に挿入される突起部が形成されていることが好ましい。
【００１１】
上記特徴により、ラベルを衣服に取り付けたときに、突起部がベルトループの裏側に位置するため、ラベルをベルトループの長さ方向に移動させようとすると、ベルトループと突起部とが接触する。こうして、ラベルがベルトループの長さ方向に移動することを規制することができる。
【００１２】
本発明のラベルにおいて、第一部分は、ベルトループの長さ方向における端部近傍を保持するような位置に形成されていることが好ましい。
【００１３】
上記特徴により、ラベルを衣服に取り付けたときに、第一部分がベルトループの長さ方向における端部近傍を保持するため、ラベルがベルトループの長さ方向に移動することをより規制することができる。
【００１４】
本発明のラベルにおいて、ラベル本体には、所定の情報が表示されており、当該情報の少なくとも一部に、開口部が形成されていることが好ましい。
【００１５】
上記特徴により、開口部を情報とは別の位置に設ける場合には、開口部を設ける領域を確保するためにラベル本体を大きくする必要があるが、情報の少なくとも一部に開口部を形成することにより、ラベル本体を不必要に大きくする必要がなくなる。開口部に衣服の一部が挿入されると、当該衣服の一部が情報の一部を構成することになる。そして、外観上、開口部に挿入された衣服の一部とラベル本体に表示された情報とが一体となって、情報全体が構成される。
【００１６】
本発明のラベルにおいて、ラベル本体には、折り曲げ可能で、かつ、所定の情報が表示された折曲部が接続されており、折曲部は、折り曲げられた状態において、衣服の端部に覆い被さるように位置していることが好ましい。
【００１７】
上記特徴により、複数の衣服が平積みされた状態で陳列され、ラベル本体に表示された情報が外部から視認できない場合であっても、折曲部は衣服の端部に覆い被さるように位置しているため、折曲部に表示された情報は外部から視認することができる。
【発明の効果】
【００１８】
本発明のラベルは、衣服に縫い付けたり、取付具を使用したりすることなく簡単に取り付けることができる。
【図面の簡単な説明】
【００１９】
【図１】第一実施形態のラベルの正面図である。
【図２】第一実施形態のラベルをズボンに取り付けた状態を表す正面図である。
【図３】（ａ）は第二実施形態のラベルの正面図（折曲部を折り曲げる前の状態）であり、（ｂ）および（ｃ）はそれぞれ折曲部を折り曲げた状態のラベルの正面図および側面図である。
【図４】（ａ）から（ｃ）はそれぞれ第二実施形態のラベルをズボンに取り付けた状態（折曲部を折り曲げた後の状態）を表す正面図、側面図および平面図である。
【図５】複数のズボンが平積みされた状態を表す概略図である。
【発明を実施するための形態】
【００２０】
本発明のラベル１を図面を参照しつつ説明する。なお、以下で説明する実施形態は、いずれも本発明の好ましい一具体例を示すものである。本発明は、以下の実施形態に限定されず、その主旨を逸脱しない範囲で適宜変更可能である。
【００２１】
＜第一実施形態＞
図１はラベル１の正面図である。図２はラベル１が取り付けられたズボン１００（衣服の一例）の正面図である。図２に示すズボン１００は、一端がウエスト部１０１に取り付けられ、他端が身頃に取り付けられた複数のベルトループ１０２を有している。以下では、説明の便宜上、図１の上下方向を縦方向、図１の左右方向を横方向として説明すると共に、他の図面でも適宜同様の表記を使用する。また、この縦方向および横方向をそれぞれベルトループ１０２の長さ方向および幅方向と表記することがある。
【００２２】
図１に示すように、ラベル１は、所定の情報２が印刷された矩形状のラベル本体３を備えている。本実施形態において、ラベル本体３は、薄片状部材から構成されている。ラベル本体３の材質は特に限定されないが、例えば、紙やプラスチックなどが使用できる。所定の情報２には、例えば、ラベル１自体のデザインや、ブランド名などの商標、ズボン１００の素材名、ズボン１００の価格および／またはズボン１００のサイズなどの衣服に関する情報が含まれる。また、この情報２は、文字、図形、記号若しくは色彩またはこれらの組み合わせなどによって構成される。図１では、情報２の一例として、アルファベットの「Ｅ」の文字が表示されている。なお、情報２はラベル本体３に直接印刷されている形態に限らず、情報２が印刷された印刷物がラベル本体３に貼り付けられている形態であってもよい。
【００２３】
ラベル本体３には、ズボン１００のベルトループ１０２を挿入するための開口部（貫通穴）４が形成されている。なお、図１では、開口部４に斜線を付して表示している。この開口部４は、ラベル本体３に印刷されたアルファベット「Ｅ」の縦棒部分を穿孔することにより形成されている。開口部４は、縦方向（ベルトループ１０２の長さ方向）に所定間隔あけて形成された少なくとも二つ（図１では二つ）の角丸台形状開口部４１と、二つの角丸台形状開口部４１間に形成されると共に、二つの角丸台形状開口部４１と連通する、縦方向に延びる直線状開口部４２と、を有している。後述するように、二つの角丸台形状開口部４１内には、ベルトループ１０２が挿入保持される。開口部４を形成することにより、ラベル本体３には二つの突起部５が形成される。
【００２４】
開口部４はベルトループ１０２を挿入可能な寸法に設計されている。角丸台形状開口部４１の横方向の長さＤ１は、ベルトループ１０２を角丸台形状開口部４１内に挿入したときに、ベルトループ１０２の幅方向における両端部が角丸台形状開口部４１の縁部にそれぞれ当接するよう設定されることが好ましい。また、二つの角丸台形状開口部４１の縦方向の間隔はベルトループ１０２の長さＬ（図２参照）と略同じに設定されることが好ましく、これにより、二つの角丸台形状開口部４１は、ラベル１をズボン１００に取り付けたときに、ベルトループ１０２の長さ方向における両端部近傍にそれぞれ位置することが好ましい。直線状開口部４２（突起部５）の縦方向の長さＤ２はベルトループ１０２の長さＬよりも小さく構成されており、直線状開口部４２の横方向の長さＤ３はベルトループ１０２の幅Ｗ（図２参照）よりも小さく構成されている。
【００２５】
図２を参照しながら、ラベル１をズボン１００に取り付ける方法について説明する。図２に示すように、ラベル１をズボン１００に取り付ける際には、開口部４内にベルトループ１０２を挿入する。このとき、ラベル本体３の突起部５をベルトループ１０２の裏側に挿入すると共に（ベルトループ１０２の裏側に位置している突起部５を図２では破線にて表示）、角丸台形状開口部４１内にベルトループ１０２が位置するよう、ラベル１を取り付ける。これにより、ラベル１はズボン１００に保持される。ベルトループ１０２が角丸台形状開口部４１内に挿入された状態において、ベルトループ１０２は、アルファベット「Ｅ」の縦棒部分を構成している。
【００２６】
＜第一実施形態の作用効果＞
本発明のラベル１は、ラベル本体３に形成された開口部４内にズボン１００のベルトループ１０２を挿入するだけで、ズボン１００に取り付けることができる。このように、ラベル１は、ミシンや取付具を使用することなく、簡単に衣服に取り付けることができる。
【００２７】
また、角丸台形状開口部４１は、角部が曲線状に形成されている。２本の直線が交差して形成される角部では、角部に亀裂が入りやすく、角部からラベル本体が裂けるおそれがある。しかし、本発明のように角部を曲線状にすることによって、角部における亀裂の発生を抑制することができる。
【００２８】
また、角丸台形状開口部４１内にベルトループ１０２が位置するため、ラベル１を横方向（ベルトループ１０２の幅方向）へ移動させようとしても、角丸台形状開口部４１の縁部とベルトループ１０２の幅方向における両端部とが接触し、ラベル１の横方向移動が規制される。特に、角丸台形状開口部４１の横方向の長さＤ１が、角丸台形状開口部４１内にベルトループ１０２が挿入されたときに、角丸台形状開口部４１の縁部とベルトループ１０２の幅方向両端部とが当接する寸法に設定されることにより、ラベル１の横方向移動がより規制される。また、ラベル１を縦方向（ベルトループ１０２の長さ方向）に移動させようとしても、ベルトループ１０２と、突起部５および角丸台形状開口部４１の縁部とが接触し、ラベル１の縦方向移動が規制される。特に、角丸台形状開口部４１がベルトループ１０２の長さ方向における両端部近傍を保持することにより、ラベル１の縦方向移動がより規制される。このように、ラベル１は、ベルトループ１０２に対する縦方向移動および横方向移動並びに回転が防止され、これにより、ラベル１は、ベルトループ１０２に対してその位置が不用意にずれないように構成されている。
【００２９】
また、開口部４は、ラベル本体３に表示された情報２の少なくとも一部を穿孔することにより形成されている。開口部４を情報２とは別の位置に設ける場合には、開口部４を設ける場所を確保するためにラベル本体３を大きくする必要があるが、本発明のように情報２の一部に開口部４を形成することにより、ラベル本体３を不必要に大きくする必要がなくなる。前記の通り、開口部４にベルトループ１０２が挿入された状態では、開口部４に挿入されたベルトループ１０２は情報２の一部（アルファベット「Ｅ」の縦棒部分）を構成している。そして、外観上、開口部４に挿入されたベルトループ１０２とラベル本体３に表示された情報２とが一体となって、情報２全体（アルファベット「Ｅ」の文字）が構成される。
【００３０】
＜第二実施形態＞
ラベル１の第二実施形態について図面を参照しつつ説明する。第一実施形態ですでに説明した部材については同一の符号を付し、その説明を省略する。第二実施形態のラベル１は、ラベル本体３に、折り曲げ線６に沿って折り曲げ可能な折曲部７が形成されている点が第一実施形態とは相違している。図３（ａ）は折曲部７を折り曲げる前の状態を表すラベル１の正面図であり、図３（ｂ）および（ｃ）はそれぞれ折曲部７を折り曲げた後の状態を表すラベル１の正面図および側面図である。図４（ａ）から（ｃ）はそれぞれ折曲部７が折り曲げられたラベル１をズボン１００に取り付けた状態を表す正面図、側面図および平面図である。図５は、ラベル１が取り付けられた複数のズボン１００が平積みされた状態を表す概略図である。
【００３１】
図３（ａ）に示すように、折り曲げ線６はラベル本体３の上端部に形成されており、破線で表示されている。折曲部７は、折り曲げ線６を介してラベル本体３に一体的に接続されている。本実施形態において、ラベル本体３、折り曲げ線６および折曲部７は、一枚の薄片状部材を加工することにより一体的に構成されている。折り曲げ線６の長さは、ラベル本体３の横方向長さおよび折曲部７の横方向長さよりも小さくなっており、ラベル本体３を画定する外縁部およびは折曲部７を画定する外縁部は、それぞれ、折り曲げ線６に接近するにしたがい、横方向内側にカーブしながら折り曲げ線６の両端部に接続される。そのため、折り曲げ線６の両端部外側の位置には、窪み部８が形成される。折曲部７には、ラベル本体３に表示された情報２とは別の情報２が表示されており、本実施形態では、図３（ａ）および図４（ｃ）に示すように、情報２の一例としてズボン１００のサイズを表す「Ｓｉｚｅ８８」との文字が印刷されている。なお、折曲部７に表示される情報２はラベル本体３に表示される情報２と同じであってもよい。図３（ｃ）に示すように、折曲部７が折り曲げられた状態では、折曲部７はラベル本体３と所定角度を成している。
【００３２】
第二実施形態におけるラベル１をズボン１００に取り付ける方法は、第一実施形態と同様であるため省略する。図４（ｂ）および（ｃ）に示すように、折曲部７は、折り曲げられた状態において、ウエスト部１０１の上端部に覆い被さるように位置している。
【００３３】
＜第二実施形態の作用効果＞
第二実施形態におけるラベル１は、第一実施形態におけるラベル１の効果に加えて以下のような効果を有する。折り曲げ線６の両端部外側には窪み部８が形成されているため、折り曲げ線６の位置を外部から明確に視認することができる。そのため、折曲部７を折り曲げるべき位置を正確に視認することができる。さらに、窪み部８が形成されていることにより、折り曲げ線６に沿って正確に折り曲げることができる。
【００３４】
また、折曲部７を折り曲げることにより、ラベル１の縦方向軸を中心とした折り曲げに対する曲げ強度を向上させることができる。
【００３５】
また、ズボン１００は、図５に示すように、何枚も平積みされた状態で陳列されることが多く、この場合にはラベル本体３に表示された情報２は隠れてしまう。しかし、折曲部７がウエスト部１０１の上端部に覆い被さっていることにより、複数のズボン１００が平積みされた状態でも折曲部７を外部から視認することができる。そのため、折曲部７に表示された情報２も外部から視認することができる。
【００３６】
＜変形例＞
以下では、ラベル１の変形例について説明する。
【００３７】
上記では衣服としてズボンを例に挙げて説明したが、衣服はズボンに限定されない。本発明のラベル１は、例えば、ズボン以外のベルトループを備えた下半身用衣服や、ベルトループを備えたコートなどの上半身用衣服にも利用可能である。また、開口部４に挿入される衣服の部分はベルトループに限定されない。開口部４の形状、大きさおよび数などは開口部４に挿入される衣服の部分に合わせて適宜変更可能である。開口部４の形状は、角丸台形状開口部４１および直線状開口部４２に限定されず、例えば、角丸台形状開口部４１の代わりに、横方向に延びる角丸長方形状の開口部を採用してもよい。
【００３８】
ラベル本体３の開口部４周囲には補強部を設けてもよい。補強部は、例えばラベル本体３の開口部４周囲にラベル本体３を構成する材料よりも高い引裂強度を有する材料を貼り付けたり、あるいは、ラベル本体３の開口部４周囲のみ、厚みを厚くしたりすることによって形成される。ラベル本体３の開口部４周囲に補強部を設けることにより、開口部４の縁部からラベル本体３が裂けることを防止することができる。
【００３９】
ラベル本体３に表示される情報２の色彩は特に限定されないが、例えば情報２の色彩を、開口部４に挿入される衣服の一部と同系色にすることにより、開口部４に衣服の一部が挿入されたとき、外観上、開口部４に挿入された衣服の一部とラベル３に表示された情報２とが一体化し、情報２が視覚的に明確になる。
【００４０】
折り曲げ線６は、人の力で容易に折り曲げ可能なよう、種々の加工が成されていてもよく、例えば、ラベル本体３および折曲部７よりも厚みを薄くしたり、切欠き線やミシン目を入れたりすることによって折り曲げやすくしてもよい。
【符号の説明】
【００４１】
１          ラベル
２          情報
３          ラベル本体
４          開口部
４１        角丸台形状開口部（第一部分）
４２        直線状開口部（第二部分）
５          突起部
６          折り曲げ線
７          折曲部
８          窪み部
１００      ズボン（衣服）
１０１      ウエスト部
１０２      ベルトループ
【要約】
【課題】衣服に縫い付けたり取付具を使用したりすることなく、簡単に取り付けることができるラベルを提供する。
【解決手段】本発明のラベル１は、ズボン１００のベルトループ１０２を挿入保持する開口部４が形成されたラベル本体３を備えている。ラベル本体３には所定の情報２が表示されており、開口部４はラベル本体３に表示された情報２の少なくとも一部に形成されている。
【選択図】図１【図１】
0005958947.tif 000002
【図２】
0005958947.tif 000003
【図３】
0005958947.tif 000004
【図４】
0005958947.tif 000005
【図５】
0005958947.tif 000006